(57)【要約】【課題】配置時に安定性の良い表示パネルを提供する。【解決手段】この発明の表示パネルは、表面側に表示用のパネル１を備え、前後に開脚して折畳み開閉可能な自立型の表示パネルであって、パネル１の折畳み開閉に伴ってパネル１の背面側で折畳み開閉するウェイト載置用のラック７を上記パネル１の下端側に連結して設けた表示パネルにおいて、パネル１の開状態で伸展されたラック７が接地してパネル１の自立姿勢の保持を行う機構としている。  ラック７を角型断面のパイプで格子状に構成し、パネル１を折畳んだ状態で上記パイプがパネル１の下端側背面に当接して前後面が略平行状態に保持される機構とした。【選択図】図２
2020052216.tif 000002
【特許請求の範囲】
【請求項１】
表面側に表示用のパネル（１）を備え、前後に開脚して折畳み開閉可能な自立型の表示パネルであって、パネル（１）の折畳み開閉に伴ってパネル（１）の背面側で折畳み開閉するウェイト載置用のラック（７）を上記パネル（１）の下端側に連結して設けた表示パネルにおいて、パネル（１）の開状態で伸展されたラック（７）が接地してパネル（１）の自立姿勢の保持を行う機構としたラック付通行表示パネル。
【請求項２】
ラック（７）を角型断面のパイプで格子状に構成し、パネル（１）を折畳んだ状態で上記パイプがパネル（１）の下端側背面に当接して前後面が略平行状態に保持される機構とした請求項１に記載のラック付通行表示パネル。
【請求項３】
表示面を備えたパネル（１）の表面側の表示部を妨げない位置に所定の間隔を介して複数の保護部材（１８）を突出させて取付け、折畳まれた複数の表示パネルを重ね合わせた際に上記保護部材（１８）が他の表示パネルとのスペーサーとなり、パネル（１）の表面への他の表示パネルの接触を防止する機構とした請求項１又は２に記載のラック付通行表示パネル。
【請求項４】
保護部材（１８）がパネル（１）の上下又は左右の周辺に沿った細長形状の部材よりなり、上記周辺の端部側に取付けられた請求項３に記載のラック付通行表示パネル。
【請求項５】
保護部材（１８）が表向きに開放されたチャンネル状断面のゴム又は弾力性を有するプラスチック部材よりなり、表示パネルを積み重ねた際にチャンネル同士が噛み合って水平移動を規制する規制部材となる請求項３又は４に記載のラック付通行表示パネル。
【請求項６】
表示面を備えたパネルの左右両端の周縁を覆う保護カバー（８）を取付けた請求項１〜５のいずれかに記載のラック付通行表示パネル。
【請求項７】
パネル（１）の表示面の表示部（９）の外周側の余白部分に切抜窓（２３）を形成した請求項１〜６のいずれかに記載のラック付通行表示パネル。
【請求項８】
表示面をプリズムレンズ型，カプセルレンズ型の反射シート又は高輝度反射板からなる反射シート（１ａ）で形成し、切抜窓（２３）の表示部（９）側を表示部（９）の外形線に沿わせて切抜き且つ表示部（９）との間に所定幅の切残し部分（２４）を残して形成した請求項７に記載のラック付通行表示パネル。
【発明の詳細な説明】
【技術分野】
【０００１】
この発明は道路工事や建設工事現場、イベント会場等で通行案内標識として使用される折畳み式の山形矢印板等のラック付通行表示パネルに関する。
【背景技術】
【０００２】
従来山形の表示板として例えば特許文献１の自立型矢印板が公知であり、パネルの上端同士をヒンジ結合して折畳み可能機構のものも古くから周知である。また自立型表示パネルで背面側に折畳み開閉可能な脚（スタンド）を設け、脚と表示用のパネルとの間に、自立姿勢保持のためのウェイトを載置する折畳み可能なラックを設けたものも特許文献２その他によって周知である。
【先行技術文献】
【特許文献】
【０００３】
【特許文献１】実用新案登録第３２１３７３６号公報
【特許文献２】実用新案登録第３２１３９２１号公報
【発明の概要】
【発明が解決しようとする課題】
【０００４】
しかし上記のようなラック付の折畳み式の表示板は、ラックがパネルと脚又は前後のパネル間の高さ方向中途位置に架設されており、ラックと配置現場の地面又は路面との間に空間があるため、その空間高さ分だけウェイト載置時の重心が高くなり、表示パネルが強風を受けたり、大型トラックの煽り風、急勾配の場所での風の影響等により、倒れ易いという欠点がある。さらに表示パネルが倒れたり吹き飛ばされることによる作業者や通行人及び通行車両への危険性も高く、表示板の損傷等の問題がある。
【０００５】
また、前後がパネルの場合も背面側が脚の場合も、グランド面が平坦な場合は比較的安定しているが、グランド面に凹凸があったり、傾斜面の場合はパネルや脚の接地自体が不安定である。
【０００６】
そして近時の表示パネルの表示面には、特許文献１に示されるように通行人の視認性を高めるためにプラスチック製のプリズムレンズ型の反射シート，カプセルレンズ反射シート，高輝度反射板等の高価で損傷し易い反射材が使用されているため、表示面の損傷防止は特に重要である。
【０００７】
その他、折畳み式の表示パネルは折畳み状態で多数の表示パネルを積み重ねて保管や搬送をするので、表示面の損傷の度合や搬送中の荷崩れ等が問題となる。
【０００８】
さらに上記のような表示パネルは、接地面に対して逆Ｖ字形の山形に立ち姿勢で配置されるので、比較的安定しているものの、強風や突風に対してはパネル面や内面に対して風圧を受け易く、転倒の危険も避けられないほか、特に大型のものは高重量となり、設置時や保管・搬送時の取扱いも不便である。
【課題を解決するための手段】
【０００９】
上記課題を解決するための本発明の機構は、第１に表面側に表示用のパネル１を備え、前後に開脚して折畳み開閉可能な自立型の表示パネルであって、パネル１の折畳み開閉に伴ってパネル１の背面側で折畳み開閉するウェイト載置用のラック７を上記パネル１の下端側に連結して設けた表示パネルにおいて、パネル１の開状態で伸展されたラック７が接地してパネル１の自立姿勢の保持を行う機構としたことを特徴とする。
【００１０】
第２に、ラック７を角型断面のパイプで格子状に構成し、パネル１を折畳んだ状態で上記パイプがパネル１の下端側背面に当接して前後面が略平行状態に保持される機構とした  ことを特徴とする。
【００１１】
第３に、表示面を備えたパネル１の表面側の表示部を妨げない位置に所定の間隔を介して複数の保護部材１８を突出させて取付け、折畳まれた複数の表示パネルを重ね合わせた際に上記保護部材１８が他の表示パネルとのスペーサーとなり、パネル１の表面への他の表示パネルの接触を防止する機構としたことを特徴とする。
【００１２】
第４に、保護部材１８がパネル１の上下又は左右の周辺に沿った細長形状の部材よりなり、上記周辺の端部側に取付けられたことを特徴とする。
【００１３】
第５に、保護部材１８が表向きに開放されたチャンネル状断面のゴム又は弾力性を有するプラスチック部材よりなり、表示パネルを積み重ねた際にチャンネル同士が噛み合って水平移動を規制する規制部材となることを特徴とする。
【００１４】
第６に、表示面を備えたパネルの左右両端の周縁を覆う保護カバー８を取付けたことを特徴とする。
【００１５】
第７に、パネル１の表示面の表示部９の外周側の余白部分に切抜窓２３を形成したことを特徴とする。
【００１６】
第８に、表示面をプリズムレンズ型，カプセルレンズ型の反射シート又は高輝度反射板からなる反射シート１ａで形成し、切抜窓２３の表示部９側を表示部９の外形線に沿わせて切抜き且つ表示部９との間に所定幅の切残し部分２４を残して形成したことを特徴とする。
【発明の効果】
【００１７】
以上のように構成される本発明の表示パネルによれば、配置現場で自立する表示パネルの下端内で、ラックが伸展して接地した状態でウェイトが載置されるので、重心が低くなって安定し、姿勢保持効果が高くなる他、ウェイト自体を接地面で支え且つラックを介したグランド側への接触で、多少の凹凸や傾斜があっても、横ずれも少なく強風や重機等の接触に対してもより安定姿勢が保ち易い。
【００１８】
またラックは折畳み状態で前後のパネル又はパネルと脚との間にあるため、この厚み設定により前後各面が略平行面となるので積み重ねた際に安定性がよく、荷崩れも少なく積み降し作業も容易且つ安全である。
【００１９】
さらに、パネルの表示面側に保護部材を突出させて設けたので、積み重ね時の表示面の損傷による表示の劣化や高価な反射シート又は反射板の損傷が防止できるほか、保護部材に弾性部材を用い、又はチャンネル状断面を噛み合わせて積み重ねることにより、表示パネル同士の横すべりも防止でき、搬送中の荷崩れ等も防止できる利点がある。
【図面の簡単な説明】
【００２０】
【図１】本発明の表示パネルの全体斜視図である。
【図２】表示パネルを床面に配置した状態の要部拡大側面断面図である。
【図３】表示パネルを積み重ねた状態の要部側面断面図である。
【図４】本発明の表示パネルの他の実施形態を示す正面図である。
【発明を実施するための形態】
【００２１】
図１〜図３は本発明の表示パネルの１実施形態を示し、図１は表示パネルの全体斜視図で、前後の長方形又は正方形のアルミ板製のパネル１を、上端で回動開閉可能なアルミ押出成形品からなるヒンジ状のジョイント部材２に対して、折畳み開閉可能にビス又はリベット等の固着具３で連結固定しており、両パネル１の下端には全長にわたり弾力性を備えたゴム又はプラスチック材よりなるＵ字形断面の脚部４が外装嵌合されてビス又はリベット等の固着具６で固着されている。
【００２２】
上記パネル１は、開脚状態では側面視逆Ｖ字形でグランド面に安定的に配置され、両パネル１の下端側の両端間には開脚時に伸展してグランド面に接地して開脚状態を保持し、折畳み状態ではパネル１の内面側にパネル１と共に折畳まれた状態で収納されるラック７が連結して設けられている。
【００２３】
パネル１の表面側には、プラスチック製の反射シート１ａが全面に貼着されており、この反射シート１ａは例えばプリズムレンズ型反射シート，カプセルレンズ型反射シート，高輝度反射板と呼ばれる乱反射型で、昼夜を問わずドライバーその他の通行人にとって視認性の高いものが使用され、左右両端には上記反射シート１ａの端部表面と端面を覆う帯状のアルミ部材からなるＬ字形断面の端部カバー８がビス又はリベット等により固着されている。端部カバー８は反射シート１ａの保護とパネル１の端部補強及び取扱い時の作業者の安全のためである。さらに反射シート１ａの略中央部には通行方向を示す矢印とその影を表した表示部９が印刷表示されている。
【００２４】
ジョイント部材２には図２，図３で示すように側面視で円弧状断面のスライド壁２ａ−１，２ｂ−１が一部重なり合い、円弧の中心（軸心Ｏ1）に回動支点２ｃを有し、スライド壁２ａ−１，２ｂ−１の外側端から下向きに延びて前後のパネル１の上端を取付けるスカート部２ａ−２，２ｂ−２を備えた一対のジョイント片２ａ，２ｂとからなる公知の部材を用いている。１１はジョイント部材２の開閉負荷を与えて開又は閉の姿勢保持を行う板バネ状の付勢部材である。
【００２５】
ジョイント部材２の中央には、パネル１内にフック１２を設けた正面視ゲート状に折曲形成した把手１３が、昇降自在に且つジョイント部材２の開閉回動を妨げない状態で上下方向に挿通されている。またジョイント部材２の左右端には、前後一対のゴム製のカバー１４が端部周面及び端面を覆うように取付けられている。
【００２６】
上記フック１２には土のう等からなるウェイト１６の吊下げ部（紐）１７を吊下げ、ウェイト１６は後述するようにラック７上に載置されてラック７を十分に伸展させ且つグランド面に接地させ、表示パネルのグランド面に対する固定力と安定性を高めるものである。
【００２７】
前記パネル１の露出した表面の上下端には、図１，図２に示すように表面側に向って開放されたチャンネル状断面で、左右方向の細長形状の弾性部材よりなる保護部材１８が取付けられており、この例ではパネル１の左右両端に万力状のクリップ１９により締付固定して取付けられている。また保護部材１８のチャンネル状断面の内部には帯状の金属板からなる取付板２１が収容され、この取付板２１の両端をパネル１の端部にクリップ固定することにより保護部材１８が取付固定されている。
【００２８】
ラック７は四角形断面のアルミパイプ材を格子状に組立てた前後の枠体７ａ，７ｂを、前後中央の回動支点（軸心Ｏ2）で折畳み回動可能に組合わせて構成され、ラック７の前後左右の各端部が、取付部材２２により回動支点（軸心Ｏ3）を介して前後のパネル１の下端内面間に回動可能に軸支連結されている。
【００２９】
この機構によりラック７は、軸心Ｏ1を中心にしてパネル１を矢印ａ方向に、軸心Ｏ3を中心にして枠体７ａ，７ｂを矢印ｂ方向に回動させることにより、開脚状態から閉状態に折畳むことが可能であり、逆作動で開脚することが可能である。そしてパネル１の開脚状態では、ラック７の枠体７ａ，７ｂの連結端の格子同士が重なり合うストッパー機構によってそれ以上回動せず、平板状の進展姿勢で固定され、グランド面に接地する。
【００３０】
この伸展状態でウェイト１６を載置すると、ウェイト１６の重量によってラック７の進展姿勢、即ち表示パネルの側面視二等辺三角形の開姿勢が強固に且つ安定的に保持され、強い風圧や他の機材との接触に対しても転倒や移動することなくグランド面上で定置姿勢を保つことができる。
【００３１】
また表示パネルは前後のパネル１及びラック７を折畳んだ状態では、図３に示すように枠体７ａ，７ｂの下端同士が当接して重なり合った状態で前後のパネル１が概ね平行に保たれるように枠体７ａ，７ｂの厚みが設計されている。さらにこの折畳み状態で複数の表示パネルを重ね積みする場合は、同図に示すように重ね合わせ面において保護部材１８のチャンネル状断面の開放端が、他方の表示パネルの保護部材１８のチャンネル内の取付板２１に当接し且つチャンネル状同士が噛み合う状態で積み重ねられる。
【００３２】
このため各表示パネルのパネル１の表面は、積み重ね状態においても、他の表示パネルの表面や凹凸部分との接触が防止され、パネル１表面の印刷表示がこれらの接触によって損傷や磨耗によって傷つけられることもない。特に図示する実施形態のようにパネル１の表示面に高輝度反射シート等の高価な反射シート１ａを用いた場合は、表示部９や反射ヒート１ａを保護することにより、パネル１自体の寿命を長期に保持でき、経済効果も大きい。
【００３３】
また、保護部材１８はそれ自体がパネル１の表面より全幅にわたって突出しているので、少なくとも両保護部材１８にまたがる他の部材との接触も防止されるほか、上記のように弾力性のある保護部材１８同士を、互に噛み合い状態で重ね合わせることにより、積み重ね時のパネル１に掛かる外力も弾力的に分散され耐衝撃性にも優れるとともに、表示パネル同士の横滑りや横滑りによる積荷の荷崩れも防止できる利点がある。
【００３４】
図４は本発明の他の実施形態を示す折畳み状態の表示パネルの正面図で、この例では特に風圧を受け易い大型の表示パネルを示している。この表示パネルでは、パネル１の表面の表示部（矢印）９の回りの余白部分に、その余白形状に対応した形状の切抜窓２３を切抜形成し、この切抜窓２３の外周、特に表示部９と切抜窓２３との間には、表示部９の一部外形線に沿った所定幅の切残し部分２４が形成されている。
【００３５】
上記構成により、大型表示パネルの重量軽減が図られるほか、切抜窓２３は前後方向の通風が可能なため、突風等の風圧を回避することにより突風による表示パネルの吹き飛びや転倒等の事故が防止でき、表示パネルの反対側の景色も一部透視できるので、通行時の事故防止等にも有用である。また表示部９の外周の切残し部分２４は、ライト照射時の表示部９を際立たせて視認性を高める効果がある。
【００３６】
図４におけるその他の構成は図１〜図３に示すものと共通であり、同一符号は前述した例のものと共通の部材を示している。但し、この例ではパネル１の露出表面上下端の保護部材１８が、クリップ１９ではなく、取付板２１とともにパネル１に対してビス又はリベット等の固着具２０により共締め固定されている点も相違する。
【符号の説明】
【００３７】
１      パネル
１ａ    反射シート
７      ラック
７ａ，７ｂ      枠体
８      保護カバー
９      表示部
１８    保護部材
２３    切抜窓
２４    切残し部
【図１】
2020052216.tif 000003
【図２】
2020052216.tif 000004
【図３】
2020052216.tif 000005
【図４】
2020052216.tif 000006